(57)【要約】【課題】シンプルな構造で脱着が可能な筆記具用尾栓、並びに、当該尾栓を備えたインク補充式筆記具を提供することを課題とする。【解決手段】軟質プラスチック製受部材１０とこれに螺合される前記受部材１０よりも硬質のプラスチック製栓部材１１とから成り、前記受部材１０は、上面に凹陥部１３を設けたキャップ部１２と、前記キャップ部１２の底面に突設されて、下部外周面に突条１５が形成された筒部１４を有し、前記凹陥部１３の内底面から前記筒部１４にかけてメネジを形成して成り、前記栓部材１１は、ヘッド１８と、その裏面に一体化されていて前記メネジに螺合するオネジを形成した軸部１９とから成る。【選択図】        図２
2004148559.tif 000002
【特許請求の範囲】
【請求項１】
軟質プラスチック製受部材とこれに螺合される前記受部材よりも硬質のプラスチック製栓部材とから成り、前記受部材は、上面に凹陥部を設けたキャップ部と、前記キャップ部の底面に突設されて、下部外周面に突条が形成された筒部を有し、前記凹陥部の内底面から前記筒部にかけてメネジを形成して成り、前記栓部材は、ヘッドと、その裏面に一体化されていて前記メネジに螺合するオネジを形成した軸部とから成る筆記具用尾栓。
【請求項２】
筒状の本体と、前記本体内に収装されるインク含浸用フィルターと、後端部が前記フィルター内に差込まれ、先端部が前記本体から突出するペン先と、前記本体の端部に嵌合されてインクを注入されるインク受容部と、前記インク受容部の開口部を閉塞する尾栓とから成り、前記尾栓は軟質プラスチック製受部材とこれに螺合される前記受部材よりも硬質のプラスチック製栓部材とから成り、前記受部材は、上面に凹陥部を設けたキャップ部と、前記キャップ部の底面に突設されて、下部外周面に突条が形成された筒部を有し、前記凹陥部の内底面から前記筒部にかけてメネジを形成して成り、前記栓部材は、ヘッドと、その裏面に一体化されていて前記メネジに螺合するオネジを形成した軸部とから成ることを特徴とするインク補充式筆記具。
【請求項３】
前記インク受容部の容量を前記フィルターのインク含浸可能量よりも十分に少なくした請求項２に記載のインク補充式筆記具。
【発明の詳細な説明】
【０００１】
【発明の属する技術分野】
本発明は、筆記具用尾栓及びこれを用いたインク補充式筆記具、より詳細には、脱着が容易な筆記具用尾栓、及び、インクを補充することによって反復使用するインク補充式で、上記尾栓を用いた筆記具に関するものである。
【０００２】
【従来の技術】
近時のボールペン、マーカーペン等の筆記具の多くは使い捨てであるが、プラスチック廃棄物の減量化のために、筆記具をインク補充式とすることによって、反復使用可能にしようとの動きがある。
【０００３】
しかるに、インク補充式筆記具においては、インクを過剰に補充した場合は漏出（オーバーフロー）の問題が起きるので、インクの補充に当たり、その注入量に注意しなければならない煩わしさがある。
【０００４】
この過充填を防止し得る筆記具も種々提唱されているが（例えば、特開平７−２５１５８７号公報）、それらは機構が複雑で部品点数が多いためにコスト高となりがちである。
【０００５】
また、筆記具の尾栓は一般に、度重なる脱着を予定していないため、脱着容易な構造とはなっていないので、その構造の尾栓を、尾栓を外してインクの補充を行なうタイプの筆記具に採用することはできない。
【０００６】
【発明が解決しようとする課題】
本発明は上述したような情況に鑑みてなされたもので、シンプルな構造で脱着が可能な筆記具用尾栓、並びに、当該尾栓を備えたインク補充式筆記具を提供することを課題とする。
【０００７】
【課題を解決するための手段】
上記課題を解決するための本発明に係る筆記具用尾栓は、軟質プラスチック製受部材とこれに螺合される前記受部材よりも硬質のプラスチック製栓部材とから成り、前記受部材は、上面に凹陥部を設けたキャップ部と、前記キャップ部の底面に突設されて、下部外周面に突条が形成された筒部を有し、前記凹陥部の内底面から前記筒部にかけてメネジを形成して成り、前記栓部材は、ヘッドと、その裏面に一体化されていて前記メネジに螺合するオネジを形成した軸部とから成る。
【０００８】
また、上記課題を解決するための本発明に係る筆記具用尾栓を備えたインク補充式筆記具は、筒状の本体と、前記本体内に収装されるインク含浸用フィルターと、後端部が前記フィルター内に差込まれ、先端部が前記本体から突出するペン先と、前記本体の端部に嵌合されてインクを注入されるインク受容部と、前記インク受容部の開口部を閉塞する尾栓とから成り、前記尾栓は軟質プラスチック製受部材とこれに螺合される前記受部材よりも硬質のプラスチック製栓部材とから成り、前記受部材は、上面に凹陥部を設けたキャップ部と、前記キャップ部の底面に突設されて、下部外周面に突条が形成された筒部を有し、前記凹陥部の内底面から前記筒部にかけてメネジを形成して成り、前記栓部材は、ヘッドと、その裏面に一体化されていて前記メネジに螺合するオネジを形成した軸部とから成ることを特徴とする。
【０００９】
【発明の実施の形態】
本発明の実施の形態を添付図面に依拠して説明する。図１は本発明に係るインク補充式筆記具の構成を示す縦断面図で、該筆記具は、筒状の本体１と、本体１内に収装されるインク含浸用のフィルター２と、後端部がフィルター２内に差込まれ、先端部が本体１から突出するペン先３と、本体１の端部に嵌合されてインク５を注入されるインク受容部４と、インク受容部４の開口部を閉塞する尾栓６とから成る。
【００１０】
本体１は通例プラスチック製で、先端部は段階的に縮径化され、第１縮径部７においてフィルター２の端部を支持し、第２縮径部８においてペン先３を支持する。フィルター２は、従来用いられていたものと同様の、フェルト等の繊維状物である。
【００１１】
インク受容部４の底面には、フィルター２内に臨むインク注出口９が突設される。インク受容部４内には、尾栓６を外した状態でインク５が注入される。インク受容部４の容量は、フィルター２の含浸可能量よりもかなり少なく、例えば、２０〜３０％程度に設定する。このようにすることにより、インク受容部４にインク５を満たしても、インク５のペン先３等からオーバーフローが起こることがなくなる。
【００１２】
図２は尾栓６の構成を示す縦断面図で、尾栓６はポリエチレン等の比較的軟質のプラスチック製受部材１０と、これよりも硬質のポリプロピレン等のプラスチック製栓部材１１とから成る。
【００１３】
受部材１０は、凹陥部１３を設けたキャップ部１２と、キャップ部１２の底面に突設された無底の筒部１４とから成り、凹陥部１３の内底面から筒部１４にかけてメネジが切られる。
【００１４】
そして、筒部１４の下部外周面に、突条１５が形成される。この突条１５は、後述する作用で筒部１４が拡開した際、インク受容部４の上部内周面に形成される突条１６に係止される。あるいは、突条１６に代えて周溝を形成し、そこに突条１５が嵌合可能に構成されることもある。また、筒部１４の下部内周面に、下方に向かって外開きのテーパ面１７が形成される。
【００１５】
栓部材１１は、凹陥部１３の内底面に当接するヘッド１８と、ヘッド１８に一体化されていて、受部材１０のメネジに対応するオネジを切った軸部１９とから成り、軸部１９の下部に、テーパ面１７に対応するテーパ面２０が形成される。図示してないが、ヘッド１８の頭面には、−溝又は＋溝が形成される。
【００１６】
かかる構成の尾栓６において、コインやネジ回し等を用いて受部材１０に対して栓部材１１を、そのヘッド１８が凹陥部１３の内底面に当たるまで螺進させると、テーパ面２０がテーパ面１７に作用することなく、突条１５は突条１６に係止されない状態となる（図２（Ａ）の状態）。この状態において尾栓６は、インク受容部４から抜き取り可能となり、尾栓６を抜き取ることにより、インク受容部４へのインク注入が可能となる。インク５は、スポイトによって注入することとしもよいし、予め定量充填したプラスチック容器（弁当用正油容器の如きもの）から注入することとしてもよい。
【００１７】
上述したように、インク受容部４の容量はフィルター２の含浸可能量よりもかなり少ないため、インク５の注入は、インク受容部４を満たすことを目安に行えばよいので、注入量に特に配慮する必要はない。
【００１８】
インク５を補充した後インク受容部４に尾栓６を嵌め込み、栓部材１１を螺退させると、テーパ面２０がテーパ面１７に沿って上昇するにつれて、硬質プラスチック製栓部材１１のテーパ面２０が軟質プラスチック製受部材１０のテーパ面１７を押し拡げるように作用する。その結果、突条１５が突条１６の下側に当たって係止され（図２（Ｂ））、尾栓６はインク受容部４から抜けなくなり、同時にその部分が液密状態となってインク５の漏出が防止される。
【００１９】
図示した尾栓の場合は、上述したように、栓部材１１をネジ込んだ状態（図２（Ａ））において抜き取り可能となるが、逆ネジとしたり、テーパ面１７とテーパ面２０をそれぞれ図示した場合と逆のテーパ面とすることにより、ネジ込んだ状態において突条１５が突条１６にロックされ、ネジ上げた状態において抜き取り可能となるように構成することもできる。
【００２０】
この尾栓６は、上記インク補充式筆記具のみならず、中綿交換タイプの筆記具のように、尾栓の脱着が必要となる各種筆記具に利用し得ることは、言うまでもないところである。
【００２１】
【発明の効果】
本発明は上述した通りであって、簡単な構造であって、尾栓を構成する栓部材を回転させるだけで、尾栓をインク受容部から抜き取り可又は不可の状態にすることができ、尾栓を外してインクの補充を行なうインク補充式の筆記具に用いる尾栓として好適なる効果がある。
【００２２】
また、本発明に係るインク補充式筆記具の場合は、インクを注入するインク受容部の容量が、フィルターのインク含浸可能量に比してかなり少ないため、インク漏れが起こるおそれがないという効果がある。
【図面の簡単な説明】
【図１】本発明に係るインク補充式筆記具の構成例を示す縦断面図である。
【図２】本発明に係るインク補充式筆記具の尾栓の構成例を示す縦断面図である。
【符号の説明】
１    本体
２    フィルター
３    ペン先
４    インク受容部
５    インク
６    尾栓
７    第１縮径部
８    第２縮径部
９    インク注出口
１０    受部材
１１    栓部材
１２    キャップ部
１３    凹陥部
１４    筒部
１５    突条
１６    突条
１７    テーパ面
１８    ヘッド
１９    軸部
２０    テーパ面
【図１】
2004148559.tif 000003
【図２】
2004148559.tif 000004